(57)【特許請求の範囲】
【請求項１】
内部に電装品箱を有する室外機を備えた空気調和機であって、
前記室外機の本体の側面に前記電装品箱内に外気を導入するための導入口が設けられ、
前記本体の側面に前記導入口を覆うように電装カバーが配置され、
前記電装カバーは上部に前記導入口に導入する空気を取り込むための冷却用吸込口が配置され、下部に冷媒配管を通すための開口部が配置され、
前記冷却用吸込口と前記導入口の間に、前記冷却用吸込口から取り込まれた外気を衝突させる内カバーが配置され、
前記電装カバーの内部を、前記冷却用吸込口がある上部と前記開口部がある下部に仕切る仕切板が前記電装カバーの内面と接するように配置され、
前記仕切板の上面と前記電装カバーと前記本体の側面に囲まれた領域に、水が貯まる貯留領域が形成され、
前記仕切板に、前記貯留領域に溜まった水を排水するための排水孔が設けられ、
前記内カバーの下端は、前記冷却用吸込口の下端よりも下方、かつ、前記導入口よりも下方、かつ、前記仕切板よりも上方に配置されることを特徴とした空気調和機。
【請求項２】
前記仕切板が前記排水孔に向かって下方へ傾斜していることを特徴とする請求項１に記載の空気調和機。
【請求項３】
前記仕切板より上方で前記排水孔と対向する面を有するリブが設けられていることを特徴とする請求項１または２に記載の空気調和機。
【請求項４】
内部に電装品箱を有する室外機を備えた空気調和機であって、
前記室外機の本体の側面に前記電装品箱内に外気を導入するための導入口が設けられ、
前記本体の側面に前記導入口を覆うように電装カバーが配置され、
前記電装カバーは上部に前記導入口に導入する空気を取り込むための冷却用吸込口が配置され、下部に冷媒配管を通すための開口部が配置され、
前記冷却用吸込口と前記導入口の間に、前記冷却用吸込口から取り込まれた外気を衝突させる内カバーが配置され、
前記電装カバーの内部を、前記冷却用吸込口がある上部と前記開口部がある下部に仕切る仕切板が前記電装カバーの内面と接するように配置され、
前記仕切板の上面と前記電装カバーと前記本体の側面に囲まれた領域に、水が貯まる貯留領域が形成され、
前記室外機の本体の側面に、前記貯留領域に溜まった水を排水するための排水孔が設けられることを特徴とした空気調和機。
【請求項５】
前記仕切板が前記排水孔に向かって下方へ傾斜していることを特徴とする請求項４に記載の空気調和機。
【請求項６】
前記内カバーが前記電装カバーに取付けられることを特徴とする請求項１乃至４のうちいずれか１項に記載の空気調和機。
【発明の詳細な説明】
【技術分野】
【０００１】
本発明は空気調和機の室外機に関し、特に室外機の電装品箱の冷却に関するものである。
【背景技術】
【０００２】
室外機には電装品を内部に収納した電装品箱が設けられている。この電装品箱は室外機の側面に内部から接する位置に設けられ、この側面には電装品箱内に空気を取り込むための穴が設けられているため、雨天時に雨水がこの穴から電装品箱内に侵入するおそれがあった。そこで、電装品箱内にある電装品に雨水が侵入しないように、室外機の本体の側面には電装カバーが設けられている。一方、電装品を冷却するために、電装カバーには外気を室外機の内部に流通させるための冷却用吸込口が設けられている。室外機の内部にある室外送風ファンによって、この冷却用吸込口から取り込まれた外気は電装品箱内に流れ込み、電装品を冷却している。
【０００３】
しかし、雨天時では外気と共に雨水が冷却用吸込口から室外機内に取り込まれ、雨水も電装品箱内に流れ込む。そのため、電装品が雨水によって故障するおそれがあった。
【０００４】
そこで、雨天時でも雨水が電装品箱内に流れ込まないようにする方法として特許文献１に開示されている方法がある。特許文献１では、板形状の内カバーは冷却用吸込口を備えた電装カバーに覆われている。この内カバーは本体と電装カバーの間で、冷却用吸込口と対面する位置に設けられている。冷却用吸込口より取り込まれた雨水を含んだ状態の外気は内カバーと衝突することで空気と水に分かれ、空気だけが電装品箱内に流れ込むことで、電装品が故障するおそれを解消している。
【先行技術文献】
【特許文献】
【０００５】
【特許文献１】特許4391368号公報
【発明の概要】
【発明が解決しようとする課題】
【０００６】
しかし、電装カバーの下方には冷媒配管を通すための開口部があり、この開口部からも外気が取り込まれる。この開口部より取り込まれた外気は内カバーと衝突することがないため、雨水を含んだ状態で電装品箱内に流れ込み、電装品が雨水によって故障するおそれがあった。
【０００７】
そこで、本発明は、雨水を含んだ状態の外気が電装品箱内に流れ込まないようにした空気調和機を提供するものである。
【課題を解決するための手段】
【０００８】
上述した空気調和機を提供するために、本発明は、内部に電装品箱を有する室外機を備えた空気調和機であって、室外機の本体の側面に電装品箱内に外気を導入するための導入口が設けられ、本体の側面に電装カバーが導入口を覆うように配置され、電装カバーは上部に導入口に導入する空気を取り込むための冷却用吸込口が配置され、下部に冷媒配管を通すための開口部が配置され、冷却用吸込口と導入口の間に、冷却用吸込口から取り込まれた外気を衝突させる内カバーが配置され、電装カバーの内部を、冷却用吸込口がある上部と開口部がある下部に仕切る仕切板が電装カバーの内面と接するように配置され、仕切板の上面と電装カバーと本体の側面に囲まれた領域に、水が貯まる貯留領域が形成され、仕切板に、貯留領域に溜まった水を排水するための排水孔が設けられる。
【０００９】
また、仕切板が排水孔に向かって下方へ傾斜している。
【００１０】
さらに、電装カバーの内面に、仕切板より上方で排水孔と対向する面を有するリブが設けられている。
【００１１】
または、内部に電装品箱を有する室外機を備えた空気調和機であって、室外機の本体の側面に電装品箱内に外気を導入するための導入口が設けられ、本体の側面に電装カバーが導入口を覆うように配置され、電装カバーは上部に導入口に導入する空気を取り込むための冷却用吸込口が配置され、下部に冷媒配管を通すための開口部が配置され、冷却用吸込口と導入口の間に、冷却用吸込口から取り込まれた外気を衝突させる内カバーが配置され、電装カバーの内部を、冷却用吸込口がある上部と開口部がある下部に仕切る仕切板が電装カバーの内面と接するように配置され、仕切板の上面と電装カバーと本体の側面に囲まれた領域に、水が貯まる貯留領域が形成され、室外機の本体の側面に、貯留領域に溜まった水を排水するための排水孔が設けられる。
【００１２】
また、仕切板が排水孔に向かって下方へ傾斜している。
【００１３】
さらに、内カバーが電装カバーに取付けられる。
【発明の効果】
【００１４】
以上のような空気調和機によれば、冷媒配管を通すための開口部より取込まれた雨水を含んだ外気が仕切板により遮られるため、電装品箱内の電装品が雨水によって故障するおそれを無くすことができる。
【図面の簡単な説明】
【００１５】
【図１】実施の形態１の空気調和機を概略的に示した斜視図である。
【図２】実施の形態１の室外機の外観を概略的に示した分解斜視図である。
【図３】実施の形態１の電装カバーを室外機本体側から見た時の図である。
【図４】実施の形態１の電装カバーを図３の背面から見た時の図である。
【図５】図２における切断線Ｂ−Ｂの断面図である。
【図６】図５における切断線Ｃ−Ｃの断面図である。
【図７】実施の形態１の室外機を切断線Ａ−Ａで切断した時の要部断面図である。
【図８】実施の形態１の電装カバーを内側から示した斜視図である。
【図９】実施の形態２の室外機を切断線Ａ−Ａで切断した時の要部断面図である。
【発明を実施するための形態】
【００１６】
以下、本発明に係る空気調和機の実施の形態を図面に基づいて説明する。
【００１７】
（実施の形態１）
図１は、本発明の実施の形態１の室外機１０と室内機２０を備えた空気調和機１を示した斜視図である。なお、室外機１０の横方向をＸ方向、奥行き方向をＹ方向、高さ方向をＺ方向とする。なお、Ｘ方向、Ｙ方向、Ｚ方向は全ての図において共通して用いる。図２は、室外機１０の室外機本体１００から電装カバー２００を取り外した分解斜視図である。図３は、電装カバー２００を室外機本体１００側から見た時の図である。図４は、電装カバー２００を図３の電装カバー２００を背面から見た時の図である。図５は、電装カバー２００を図２に示す切断線Ｂ−Ｂで切断した時の断面図である。図６は、電装カバー２００を図５に示す切断線Ｃ−Ｃで切断した時の断面図である。図７は、室外機１０を図１の切断線Ａ−Ａで切断した時の要部断面図である。なお、太線矢印は空気の流れを示し、点線矢印は雨水の流れを示したものである。図８は、電装カバー２００を室外機本体１００側から見た時の斜視図である。
【００１８】
本発明の実施の形態１の空気調和機１では、図１に示すように、屋外に設置される室外機１０と室内に設置される室内機２０が冷媒配管３０で接続されている。室外機１０の室外機本体１００は、図１に示すように外観が箱状である。室外機本体１００の右側面１０１に電装カバー２００が取り付けられる。この室外機本体１００は、図７に示すように内部に仕切壁１７０が設けられ、この仕切壁１７０によって、電装カバー２００が取り付けられる右側面１０１側の機械室１１０と、左側面１０３側の熱交換室１２０に区画される。熱交換室１２０には図示しない室外熱交換器や室外送風ファンが設けられる。図示しない室外熱交換器で生じた凝縮水を室外機本体１００の外に流すための通水孔１６０が室外機本体１００の底板１５０に設けられている。また、機械室１１０の下部には図示しない圧縮機などが設けられ、上部には図示しない電装品が収納される電装品箱１３０が設けられている。この電装品箱１３０の内部に外気を導入するための導入口１３１が室外機本体１００の右側面１０１に設けられている。
【００１９】
電装カバー２００は室外機本体１００の右側面１０１に取り付けられる。電装カバー２００は図４と図５に示すように、Ｙ方向よりもＺ方向に長い形状をしている。図１に示すように、電装カバー２００のＺ方向の長さは室外機本体１００の右側面１０１のＺ方向の長さとほぼ同じであり、電装カバー２００のＹ方向の長さは室外機本体１００の右側面１０１のＹ方向の長さよりも短い。また、図２に示す冷媒配管接続口１４０には図示しない操作弁が設けられ、この操作弁に冷媒配管３０を接続するために、図５に示すように電装カバー２００の下部側には冷媒配管３０を挿入するための開口部２４０が設けられている。そのため、電装カバー２００の下部側は上部側と比較してＸ方向に膨らんでいる。
【００２０】
電装カバー２００の上部には、図４に示すように、外気を流通させて電装カバー２００内に外気を取り込むための複数の長方形の孔から構成される冷却用吸込口２１１が設けられている。図３と図５と図６に示すように、冷却用吸込口２１１が設けられている上部側と、開口部２４０が設けられている下部側の間には、電装カバー２００の内部を上部側と下部側に仕切る仕切板２３０が設けられている。この仕切板２３０の上面と電装カバー２００の内面２０２と室外機本体１００の右側面１０１に囲まれた領域に、水が貯まる貯留領域２５０が形成される。この貯留領域２５０に溜まった水を排水するために、仕切板２３０のＹ方向の両端には排水孔２３１ａ、２３１ｂが設けられている。更に、この排水孔２３１ａ、２３１ｂに向かって水が流れやすいように、仕切板２３０の中心部から仕切板２３０の両端にある排水孔２３１ａ、２３１ｂに向かって、仕切板２３０が下方に傾斜している。この仕切板２３０の上方で、排水孔２３１ａ、２３１ｂと対向する位置に、排水孔と対向する面を有するように、電装カバー２００の内側面２０２ａ、２０２ｂから立ち上げられたリブ２１２が２つ設けられている。また、図６に示すように、仕切板２３０の室外機本体１００の右側面１０１と接する側でＹ方向の中央には、電装品箱１３０に繋がる図示しない電装ケーブルを通すためのケーブル通過孔２３２が設けられている。このケーブル通過孔２３２は、ケーブルとの隙間をシール材で埋めるなどして空気が流通しないようになっている。なお便宜上、ケーブル通過孔２３２の下方にある電装カバー２００の底面の記載を省略している。
【００２１】
内カバー２２０は、図３と図５に示すように、電装カバー２００に覆われて、電装カバー２００の冷却用吸込口２１１と室外機本体１００の電装品箱１３０にある導入口１３１との間に配置される。内カバー２２０はＺ方向に長く形成され、内カバー２２０のＺ方向の最下端２２０ａが、電装カバー２００にある冷却用吸込口２１１のＺ方向の最下端２１１ａよりも下方になり、かつ、導入口１３１よりも下方になり、かつ、仕切板２３０よりも上方になるように、内カバー２２０のＺ方向の長さは調整されている。また、内カバー２２０のＹ方向は導入口１３１と冷却用吸込口２１１の幅より大きければ良い。図８に示すように、この内カバー２２０は両側部２２０ａ、２２０ｂが電装カバー２００の内側面
２０２ａ、２０２ｂに取り付けられ、固定されている。なお、内カバー２２０は上面２２０ｃを有しており、冷却用吸込口２１１から取り込んだ外気が内カバー２２０の上方から導入口１３１に流入しないようになっている。
【００２２】
以上で説明した電装カバー２００において、雨天時に雨水を含んだ外気を電装カバー２００にある冷却用吸込口２１１から取り込んだ場合について図７を基に説明する。電装品箱１３０の熱交換室１２０側には、熱交換室１２０に繋がる図示しない通風路が設けられ、図示しない室外送風ファンを駆動させると、外気を電装品箱１３０を介して熱交換室１２０へ吸引する気流が生じる。この気流により、室外機１０の外にある雨水を含んだ外気は電装カバー２００にある冷却用吸込口２１１より電装カバー２００内に取り込まれる。冷却用吸込口２１１より取り込まれた外気は内カバー２２０と衝突し、空気と雨水に分離される。分離された空気の流れは太線で表し、分離された雨水の流れは点線で表す。内カバー２２０で分離された空気は、内カバー２２０と電装カバー２００の間に形成される第一風路３１０を通って下方に向かって流れる。下方に流れた空気は内カバー２２０と仕切板２３０によって形成される第二風路３２０を流れる。第二風路３２０を通過した空気は、内カバー２２０と室外機本体１００の右側面１０１との間に形成される第三風路３３０を通って上方に向かって流れる。上方に流れた空気は導入口１３１より電装品箱１３０内に流れ込む。これにより、電装品箱１３０内にある図示しないコンデンサやコイルなどの電装品を雨水に濡らすことなく、雨水を含まない空気で冷却することができる。
【００２３】
一方、内カバー２２０で分離された雨水は、内カバー２２０および電装カバー２００を伝って仕切板２３０の上面にある貯留領域２５０まで流れ落ちる。貯留領域２５０に流れ落ちた雨水は仕切板２３０の傾斜に沿って流れ、排水孔２３１ａ、２３１ｂにまで導かれる。排水孔２３１ａ、２３１ｂに導かれた雨水は排水孔２３１ａ、２３１ｂを通過して、電装カバー２００の下部側に流入する。電装カバー２００の下部側に流入した雨水は電装カバー２００または右側面１０１を伝って流れ落ち、電装カバー２００の底面にある流出孔２０１より室外機本体１００の底板１５０に流入する。底板１５０に流入した雨水は、底板１５０に沿って流れ、通水孔１６０より室外機本体１００の外に排水される。
【００２４】
なお、電装カバー２００の下部側にある開口部２４０（図５参照）から取り込まれた雨水を含んだ外気は、仕切板２３０により導入口１３１への経路がふさがれているので、上方に向かって流れない。また仮に、排水孔２３１ａ、２３１ｂを通過して、電装カバー２００の上部側に雨水を含んだ外気が流入した場合は、排水孔２３１ａ、２３１ｂの上方にあるリブ２１２と衝突することで、雨水を含んだ外気は空気と雨水に分離される。そのため、雨水を含んだ外気は仕切板２３０とリブ２１２により上方に向かって流れることが出来ないため、雨水を含んだ外気が電装品箱１３０に流れ込むことを防止できる。
【００２５】
以上より、本発明の実施の形態１の室外機１０では、雨天時に、雨水を含んだ外気が仕切板２３０およびリブ２１２により遮られるため、電装品箱１３０内に流れ込むことを防止できると共に、仕切板２３０の上面に溜まった水を、仕切板２３０に設けた排水孔２３１ａ、２３１ｂより排水することができる。
【００２６】
（実施の形態２）
本発明の実施の形態２の室外機１０は、図９に示すように、仕切板２３４と排水孔１０２以外は、実施の形態１と同じである。よって、仕切板２３４と排水孔１０２以外の説明は省略する。図９は、室外機１０を図１の切断線Ａ−Ａで切断した時の要部断面図である。なお、太線矢印は空気の流れを示し、点線矢印は雨水の流れを示したものである。
【００２７】
実施の形態２では、図９に示すように、仕切板２３４の上面に形成される貯留領域２５０に溜まった水を排水するために、貯留領域２５０と接する室外機本体１００の右側面１０１に、排水孔１０２を設けている。また、仕切板２３４はこの排水孔１０２、つまり室外機本体１００に向かって下方に傾斜している。
【００２８】
以上で説明した電装カバー２００において、雨天時に雨水を含んだ外気を電装カバー２００にある冷却用吸込口２１１から取り込んだ場合について図９を基に説明する。室外機１０の外にある雨水を含んだ外気は電装カバー２００にある冷却用吸込口２１１より電装カバー２００内に取り込まれる。冷却用吸込口２１１から取り込まれた雨水を含んだ外気は内カバー２２０と衝突し、空気と雨水に分離される。分離された空気の流れは太線で表し、分離された雨水の流れは点線で表す。分離された空気は、実施の形態１と同様に電装品箱１３０にある導入口１３１に流れ込む。一方、分離された雨水は、仕切板２３４まで流れ落ちた後、仕切板２３４の傾斜に沿って流れ、室外機本体１００の右側面１０１にある排水孔１０２にまで導かれる。排水孔１０２に導かれた雨水は排水孔１０２を通過して、室外機本体１００の機械室１１０に流入する。機械室１１０に流入した雨水は機械室１１０の壁に沿って、室外機本体１００の底板１５０にまで流れ落ちる。底板１５０に流れ落ちた雨水は、底板１５０に沿って流れ、通水孔１６０より室外機本体１００の外に排水される。また、電装カバー２００の下部側にある開口部２４０から取り込まれた雨水を含んだ外気は、仕切板２３４により上方に向かって流れない。
【００２９】
以上より、本発明の実施の形態２の室外機１０では、雨天時に、雨水を含んだ外気が仕切板２３４により遮られるため、電装品箱１３０内に流れ込むことを防止できると共に、仕切板２３４の上面に溜まった水を、室外機本体１００の右側面１０１に設けた排水孔１０２より排水することができる。
【００３０】
以上のような空気調和機によれば、雨水を含んだ状態の外気が電装品箱内に流れ込まないようにできる。さらに、内カバーで分離され仕切板にまで落下して仕切板の上面に溜まった水を、仕切板に排水孔を設けることで排水することが出来る。または、排水孔を室外機本体の右側面に設けることで、電装カバーの下部側にある開口部より取込まれた外気を電装カバーの上部側に流入させることなく、仕切板の上面に溜まった水を排水することが出来る。
【００３１】
なお、実施の形態１と２では、室外機本体の右側面に電装カバーや電装品箱、冷媒配管接続口などを設けているが、本発明はこれに限定したものではなく、左側面に電装カバーや電装品箱、冷媒配管接続口などを設けても良い。また、実施の形態１と２では、内カバーは電装カバーの内面に嵌め込まれることで固定されていたが、本発明はこれに限定したものではなく、内カバーは室外機本体の右側面に取り付けられることで固定されても良い。
【符号の説明】
【００３２】
１      空気調和機
１０    室外機
２０    室内機
３０    冷媒配管
１００  室外機本体
１０１  右側面
１０２  排水孔
２００  電装カバー
２２０  内カバー
２３０  仕切板
２３１ａ、２３１ｂ  排水孔
２３４  仕切板
【図１】
0006596974.tif 000002
【図２】
0006596974.tif 000003
【図３】
0006596974.tif 000004
【図４】
0006596974.tif 000005
【図５】
0006596974.tif 000006
【図６】
0006596974.tif 000007
【図７】
0006596974.tif 000008
【図８】
0006596974.tif 000009
【図９】
0006596974.tif 000010